(57)【特許請求の範囲】
【請求項１】
払拭体とハンドルを連結して構成され、前記ハンドルを操作して被清掃面を払拭体により払拭して掃除する清掃具であり、前記ハンドルは密閉された中空長手状の袋体からなり、前記袋体には空気を注入排気する空気バルブが取着され、前記袋体は、前記空気バルブを介して空気を注入すると略緊張状態になるまで膨張して内部に中空部を有して前記ハンドルの形状を保持し、空気を排気すると萎む性質を有し、前記袋体のハンドル後端部の一部はハンドル軸方向内方に押込まれて二重管部を形成し、前記二重管部の内部は大気に連通する開放中空部になり、前記開放中空部に手指を挿入してハンドル操作することができることを特徴とする空気注入型ハンドル清掃具。
【請求項２】
前記開放中空部の底部に拡径空間部が形成され、前記拡径空間部が指を引っ掛ける手かがり溝となる請求項１に記載の空気注入型ハンドル清掃具。
【請求項３】
前記袋体のハンドル先端に前記袋体と隔壁を介して先端側袋体を設け、前記先端側袋体には空気を先端側袋体に注入排気する先端側空気バルブが取着され、前記先端側袋体は、前記先端側空気バルブを介して空気を注入すると略緊張状態になるまで膨張して内部に先端側中空部を有して突出形状を保持し、空気を排気すると萎む性質を有する請求項１又は２に記載の空気注入型ハンドル清掃具。
【請求項４】
前記先端側袋体を萎んだ状態で前記払拭体の袋部に内装し、内装状態で前記先端側袋体を膨張させて前記払拭体をモップとして使用できる状態にする請求項３に記載の空気注入型ハンドル清掃具。
【請求項５】
前記袋体または前記先端側袋体の先端に取付面を形成し、前記払拭体はスポンジ体からなり、前記スポンジ体は後端面に開口を有し且つ該開口から底部に達するまでの空洞を内部に有した有底筒状であり、ハンドル先端部を前記開口から空洞に内挿し、前記取付面を前記空洞の底部に接合させた請求項１〜３のいずれかに記載の空気注入型ハンドル清掃具。
【請求項６】
前記袋体または前記先端側袋体の先端に取付面を構成し、前記払拭体はブラシ体からなり、前記ブラシ体は後端面に開口を有し且つ該開口から底部に達するまでの空洞を内部に有した有底筒状であり、前記ブラシ体の外周面がブラシ突片に成形されており、ハンドル先端部を前記開口から空洞に内挿し、ハンドル先端の取付面を前記空洞の底部に接合させた請求項１〜３のいずれかに記載の空気注入型ハンドル清掃具。
【請求項７】
前記接合の手段として、前記取付面と前記底部を面ファスナー又は接着剤で接合する請求項５又は６に記載の空気注入型ハンドル清掃具。
【請求項８】
外周に螺旋状溝を形成した中空巻付棒を配置し、前記螺旋状溝に帯電払拭糸を巻き付け、この中空巻付棒の根元に連結受部を形成して前記払拭体を構成し、他方、前記袋体または前記先端側袋体の先端に連結部を形成し、前記連結部と前記連結受部を相互に連結して帯電清掃具として使用する請求項１〜３のいずれかに記載の空気注入型ハンドル清掃具。
【請求項９】
前記袋体及び前記先端側袋体は膨張自在なゴム材又は合成樹脂材で構成される請求項３〜８のいずれかに記載の空気注入型ハンドル清掃具。
【請求項１０】
前記袋体及び前記先端側袋体は延伸自在なゴム材又は合成樹脂材からなる延伸層と前記延伸層の延伸を規制する延伸規制層を積層したラミネート材から形成され、前記袋体は空気注入により略緊張状態になるまで膨張する請求項３〜８のいずれかに記載の空気注入型ハンドル清掃具。
【発明の詳細な説明】
【技術分野】
【０００１】
本発明は、床面・壁面・物体表面・風呂・トイレ等を清掃するための清掃具に関し、更に詳細には、ハンドルが極めて軽量で人に当たっても痛くない清掃具に関する。      
【０００２】
従来から、家庭や職場の清掃具として、ハンドルモップ、帯電はたき、トイレブラシ、浴槽スポンジ具などが広く利用されている。これらの清掃具は一般に、床面等に直接触れる払拭体と、この払拭体に連結されるハンドルから構成される。そして、老人や子供でも清掃できるように、清掃具全体を軽量化することが行われてきた。特に、軽量化のためには、ハンドルの軽量化と払拭体の軽量化が重要になる。
【０００３】
ハンドルの軽量化について、本願の図９は、実用新案登録第３０７７４８８号公報（特許文献１）に開示された軽量モップハンドルを示している。その要約には、課題として、シンプルな構造により十分にハンドルを軽量化し、それによって軽快な操作を可能にしたモップハンドルを提供する、と書かれている。
軽量構造の観点から、モップハンドル１０１は、払拭材１０２を装着するフレーム１０３と、それに回転自在に連結した操作用のポール１０４とグリップ１４１を備える。フレーム１０３は、金属の線状部材により形成した横長リング状の周枠１１０をその中央部において二分した枠片１１１と１１２からなり、帯状板１１３により相互に連結する。この帯状板１１３に、ブランケット１３１とポール回転軸１３２、１３４と連結金具１３３、１３５からなるジョイント部材１３０を取り付けて、ポール１０４と連結される。特に、前記ポール１０４はアルミニウムのパイプにより形成されるため軽量化されている。
【０００４】
払拭体の軽量化について、本願の図１０に、特開平１０−２９０７６９号公報（特許文献２）に開示された形状変更可能なモップを示している。払拭体はヘッドとそれに植成された払拭片からなり、図１０には形状変更可能なヘッドが示されている。
モップ２０１Ｆはその先端にモップヘッド２０４Ｆを有し、モップヘッド２０４Ｆの上面中央に止着手段２３３により固定された基板２３０に柄２０５が連結されている。モップヘッド２０４Ｆの上面中央の通孔２３２を通してポンプ手段２３１により空気が注入され、ゴムなど成形されたモップヘッド２０４Ｆは膨張する。図１０には、空気を注入する前の収縮したモップヘッド２０４Ｆと、空気を注入して膨張したモップヘッド２０４Ｆが示されている。即ち、特許文献２では、払拭体を構成するモップヘッド２０４Ｆを空気膨張型のゴム材で成形したから、従来の金属製のモップヘッド２０４Ｆよりも遥かに軽量化を達成することができている。
【０００５】
特許文献２では、空気膨張型のゴム材製のモップヘッド２０４Ｆが使用されているが、ゴム材では収縮時に比較して膨張時にはモップヘッド２０４Ｆが風船のように膨張する。そこで、清掃以外の分野ではあるが、膨張しない素材の開発が為されてきている。
【０００６】
特許文献３は筒状ラミネート体の製造法を開示する特開平７−３０４１１２号公報である。その要約及び図１には、筒状芯材１２を中心に、その内側には筒状に形成した内層用熱融着性フィルム１１と、その外側には筒状に形成した外層性熱融着性フィルム１３が配された配層体１を用意し、この配層体１の外周を膨張規制材２で被覆して、筒状ラミネート体が提供されている。内層用熱融着性フィルム１１と筒状芯材１２と外層性熱融着性フィルム１３からなる配層体１が加熱により膨張する性質があったとしても、膨張規制材２で被覆されることによって、ラミネート体自体は膨張することなく一定の形態とサイズが保持されている。従って、この筒状ラミネート体は本願発明の袋体に適用することが可能である。
【０００７】
更に、特許文献４は乗物用エアーバッグを開示する実開平２−９１０５６号公報である。その実用新案登録請求の範囲には、合成繊維の長繊維織布の一面にゴム又は合成樹脂をコーティングすると共に、他面全面に不織布を点接着、あるいは点在せしめてなるシート材から形成され、不織布面を顔面接触面とした乗物用エアーバッグが記載されている。また、第２図には、ゴム３と長繊維織布２と不織布４を積層したシート材の断面図が記載されている。従って、この中から、ゴムと織布を積層した伸縮しないシート材を本願発明に適用することは可能である。
【先行技術文献】
【特許文献】
【０００８】
【特許文献１】実用新案登録第３０７７４８８号公報
【特許文献２】特開平１０−２９０７６９号公報
【特許文献３】特開平７−３０４１１２号公報
【特許文献４】実開平２−９１０５６号公報
【発明の概要】
【発明が解決しようとする課題】
【０００９】
前述したように、ハンドルの軽量化については、特許文献１に軽量モップハンドルとして示されている。しかし、ハンドルであるポール１０４をアルミニウムのパイプで形成することによって軽量化しただけで、それ以外の案は一切開示されていない。換言すれば、従来からハンドルは鉄パイプで形成されているが、アルミニウムパイプに置き換えたに過ぎないものである。しかも、鉄パイプをアルミパイプに置換してもそれほど軽量化できるとは考えられない。
【００１０】
また、ヘッドの軽量化については、特許文献２に空気注入できるゴム製のモップヘッド２０４Ｆが開示されている。確かに、モップヘッド２０４Ｆを伸縮する素材のゴム製とし、このゴム製ヘッドを空気注入により膨張させればかなり軽くなることは事実である。しかし、特許文献２においてはハンドルについては全く軽量化の対策が出されておらず、従来の如く鉄パイプかアルミパイプを使用する以外に対策はない。
【００１１】
本発明に係る空気注入型ハンドル清掃具では、ハンドルを中空長手状の袋体により形成し、該袋体に空気を注入して略緊張状態まで膨張させて清掃具のハンドルとして利用することを着眼したものである。鉄パイプやアルミパイプといった細くて強いパイプの概念を打ち破り、ハンドル自体を中空長手状の袋体により形成して軽量化に貢献できる発明を完成し、本願に至ったものである。従って、ハンドルを大いに軽量化できるので、モップ全体の大胆な軽量化を実現でき、同時にモップに限らず、先端にブラシやスポンジを取り付けたトイレや浴槽の掃除具のハンドルとして、また静電気やエレクトレットを利用した帯電はたきのハンドルとして利用できる等、広範囲の払拭体を支えるハンドルとして活用できる空気注入型ハンドル清掃具を提供するものである。
【課題を解決するための手段】
【００１２】
本発明は上記課題を解決するためになされたものであり、本発明の第１の形態は、払拭体とハンドルを連結して構成され、前記ハンドルを操作して被清掃面を払拭体により払拭して掃除する清掃具であり、前記ハンドルは密閉された中空長手状の袋体からなり、前記袋体には空気を注入排気する空気バルブが取着され、前記袋体は、前記空気バルブを介して空気を注入すると略緊張状態になるまで膨張して内部に中空部を有して前記ハンドルの形状を保持し、空気を排気すると萎む性質を有する空気注入型ハンドル清掃具である。
【００１３】
本発明の第２の形態は、前記袋体のハンドル後端部の一部はハンドル軸方向内方に押込まれて二重管部を形成し、前記二重管部の内部は大気に連通する開放中空部になり、前記開放中空部に手指を挿入してハンドル操作することができる空気注入型ハンドル清掃具である。
【００１４】
本発明の第３の形態は、前記開放中空部の底部に拡径空間部が形成され、前記拡径空間部が指を引っ掛ける手かがり溝となる空気注入型ハンドル清掃具である。
【００１５】
本発明の第４の形態は、前記袋体のハンドル先端に前記袋体と隔壁を介して先端側袋体を設け、前記先端側袋体には空気を先端側袋体に注入排気する先端側空気バルブが取着され、前記先端側袋体は、前記先端側空気バルブを介して空気を注入すると略緊張状態になるまで膨張して内部に先端側中空部を有して突出形状を保持し、空気を排気すると萎む性質を有する空気注入型ハンドル清掃具である。
【００１６】
本発明の第５の形態は、前記先端側袋体を萎んだ状態で前記払拭体の袋部に内装し、内装状態で前記先端側袋体を膨張させて前記払拭体をモップとして使用できる状態にする空気注入型ハンドル清掃具である。
【００１７】
本発明の第６の形態は、前記袋体または前記先端側袋体の先端に取付面を形成し、前記払拭体はスポンジ体からなり、前記スポンジ体は後端面に開口を有し且つ該開口から底部に達するまでの空洞を内部に有した有底筒状であり、ハンドル先端部を前記開口から空洞に内挿し、前記取付面を前記空洞の底部に接合させた空気注入型ハンドル清掃具である。
【００１８】
本発明の第７の形態は、前記袋体または前記先端側袋体の先端に取付面を構成し、前記払拭体はブラシ体からなり、前記ブラシ体は後端面に開口を有し且つ該開口から底部に達するまでの空洞を内部に有した有底筒状であり、前記ブラシ体の外周面がブラシ突片に成形されており、ハンドル先端部を前記開口から空洞に内挿し、ハンドル先端の取付面を前記空洞の底部に接合させた空気注入型ハンドル清掃具である。
【００１９】
本発明の第８の形態は、前記接合の手段として、前記取付面と前記底部を面ファスナー又は接着剤で接合する空気注入型ハンドル清掃具である。
【００２０】
本発明の第９の形態は、外周に螺旋状溝を形成した中空巻付棒を配置し、前記螺旋状溝に帯電払拭糸を巻き付け、この中空巻付棒の根元に連結受部を形成して前記払拭体を構成し、他方、前記袋体または前記先端側袋体の先端に連結部を形成し、前記連結部と前記連結受部を相互に連結して帯電清掃具として使用する空気注入型ハンドル清掃具である。
【００２１】
本発明の第１０の形態は、前記袋体及び前記先端側袋体は膨張自在なゴム材又は合成樹脂材で構成される空気注入型ハンドル清掃具である。
【００２２】
本発明の第１１の形態は、前記袋体及び前記先端側袋体は延伸自在なゴム材又は合成樹脂材からなる延伸層と前記延伸層の延伸を規制する延伸規制層を積層したラミネート材から形成され、前記袋体は空気注入により略緊張状態になるまで膨張する空気注入型ハンドル清掃具である。
【発明の効果】
【００２３】
本発明の第１の形態によれば、払拭体とハンドルを連結して構成され、前記ハンドルを操作して被清掃面を払拭体により払拭して掃除する清掃具であり、前記ハンドルは密閉された中空長手状の袋体からなり、前記袋体には空気を注入排気する空気バルブが取着される空気注入型ハンドル清掃具を提供することができる。
換言すれば、前記袋体は遊泳用の浮き袋に相当する。即ち、前記袋体は、前記空気バルブを介して空気を注入すると略緊張状態になるまで膨張して内部に中空部を有して前記ハンドルの形状を保持し、空気を排気すると萎む性質を有し、この袋体をハンドルとして利用する空気注入型ハンドル清掃具が提供される。従って、極めて軽量であり、このハンドルは人に当たってもケガが生じず、物に当たっても物を傷つけない特徴がある。また、略緊張状態まで膨張させるから、袋体を強靭な材料で形成しておけば、ハンドル形状を強力に保持でき、清掃具のハンドルとして十分に効果を奏することができる。
【００２４】
袋体の素材として、伸縮自在なゴムや合成樹脂を使用すれば、ゴム風船と同様に空気注入によりかなりの程度まで膨張するが、ハンドルの形態保持の観点から、略緊張状態まで膨張させればよい。また、ゴムのようには膨張しない素材もあり、空気注入により略緊張状態まで膨れると、それ以上には膨張せず、その段階でハンドルとしての形態保持性を発揮できる。
【００２５】
本発明の第２の形態によれば、前記袋体のハンドル後端部の一部はハンドル軸方向内方に押込まれて二重管部を形成し、前記二重管部の内部は大気に連通する開放中空部になり、前記開放中空部に手指を挿入してハンドル操作することができる空気注入型ハンドル清掃具を提供できる。
通常は、二重管部を外側から手で把握して、ハンドル操作をするのであるが、本形態では二重管部の内部にある開放中空部に少なくとも手指を挿入すると、腕を動かすだけでハンドル操作が極めて簡単になり、清掃作業が極めて楽になる利点がある。
また、二重管部の外壁と内壁を相互に部分的に接合又は連結しておけば、袋体を空気膨張させても二重管部はその形態を保持でき、二重管部が後方へ膨出して消失することはない。
【００２６】
本発明の第３の形態によれば、前記開放中空部の底部に拡径空間部が形成され、前記拡径空間部が指を引っ掛ける手かがり溝となる空気注入型ハンドル清掃具を提供できる。
二重管部は多少厚みがあり、その中の開放中空部は細長いトンネルのような形状になる。この開放中空部の奥底に前記トンネルが拡径して大きくなる拡径空間部を形成する。そうすると、手指を前記開放中空部に挿入して、更に指を拡径空間部に引っ掛けて力加減を工夫すると、手指によるハンドル操作が非常に楽になり、且つ精細なハンドル操作が可能になる利点がある。
【００２７】
本発明の第４の形態によれば、前記袋体のハンドル先端に前記袋体と隔壁を介して先端側袋体を設け、前記先端側袋体には空気を先端側袋体に注入排気する先端側空気バルブが取着され、前記先端側袋体は、前記先端側空気バルブを介して空気を注入すると略緊張状態になるまで膨張して内部に先端側中空部を有して突出形状を保持し、空気を排気すると萎む性質を有する空気注入型ハンドル清掃具を提供できる。
換言すると、本形態のハンドルは、袋体と先端側袋体が隔壁を介して直列接続された形態を有し、夫々に空気バルブが設けられて、夫々が独立して空気注入と排気ができる構造になっている。このように独立操作が可能になれば、ハンドルを長くしたり、払拭体との微妙な着脱操作が可能になる。
例えば、袋体と先端側袋体の両者を萎めておくと場所をとらずに長期保存ができ、袋体を膨張させた状態で先端側袋体だけを萎めれば先端側袋体だけを払拭体に装着できるから装着操作が容易になる。また、袋体を萎めて先端側袋体だけを膨張させれば、ハンドルが短縮できるから小物の表面清掃が容易になるが、通常の清掃作業では袋体と先端側袋体の両者を膨張させて使用する。
また、拡径空間部を包囲する拡径空間周壁と上記隔壁を非伸縮性のシートや糸で連結しておけば、袋体を空気膨張させても、拡径空間周壁は上記隔壁に強く引かれるため、拡径空間部や二重管部は袋体の内部に形態を保持することができる。即ち、空気膨張時に拡径空間部や二重管部が後方へ膨出して消失することはない。拡径空間周壁とそれに近接する袋体の壁面とを複数点で部分接合しても同様の効果がある等、その他公知の手段も自在に利用できる。
【００２８】
本発明の第５の形態によれば、前記先端側袋体を萎んだ状態で前記払拭体の袋部に内装し、内装状態で前記先端側袋体を膨張させて前記払拭体をモップとして使用できる状態にする空気注入型ハンドル清掃具を提供できる。
払拭体をハンドルに装着する際に、小さな容積の先端側袋体だけを空気バルブを介して排気して萎ませ、萎んだ先端側袋体だけを払拭体に内装して空気注入させればハンドルとして機能させることができる。このとき、長尺の袋体を排気させて萎ませる必要が無くなるから、装着操作が容易になる利点がある。勿論、長尺の袋体を収縮させておいてもよく、袋体の膨張・収縮に関わらず、先端側袋体の収縮・膨張だけで払拭体との着脱が可能になる利点がある。
【００２９】
本発明の第６の形態によれば、前記袋体または前記先端側袋体の先端に取付面を形成し、前記払拭体はスポンジ体からなり、前記スポンジ体は後端面に開口を有し且つ該開口から底部に達するまでの空洞を内部に有した有底筒状であり、ハンドル先端部を前記開口から空洞に内挿し、前記取付面を前記空洞の底部に接合させた空気注入型ハンドル清掃具を提供できる。
本形態では、ハンドルとして、袋体からなる場合と、袋体に先端側袋体を直列した場合の二形態が存在する。前者の形態ではハンドル先端部は袋体先端部でありこの先端に取付面を設け、後者の形態ではハンドル先端部は先端側袋体でありこの先端に取付面を形成する。他方、払拭体として有底筒状の空洞を穿ったスポンジ体が利用される。そして、ハンドル先端部をスポンジ体の空洞に挿入し、取付面を空洞の底部に接合して、ハンドルと払拭体を一体化した空気注入型ハンドル清掃具が完成される。払拭体がスポンジ体であるから、浴槽用清掃具やトイレ用清掃具として利用できる。前述したように、本発明ではハンドルが極めて軽量であり、このハンドルを用いたスポンジ型の清掃具も一層に軽量化できるから、老人や子供でも取り扱いが容易な清掃具を提供することができる。
【００３０】
本発明の第７の形態によれば、前記袋体または前記先端側袋体の先端に取付面を構成し、前記払拭体はブラシ体からなり、前記ブラシ体は後端面に開口を有し且つ該開口から底部に達するまでの空洞を内部に有した有底筒状であり、前記ブラシ体の外周面がブラシ突片に成形されており、ハンドル先端部を前記開口から空洞に内挿し、ハンドル先端の取付面を前記空洞の底部に接合させた空気注入型ハンドル清掃具を提供できる。
本形態でも、ハンドルとして、袋体からなる場合と、袋体に先端側袋体を直列した場合の二形態が存在する。前述と同様に、前者の形態ではハンドル先端部は袋体先端部でありこの先端に取付面を設け、後者の形態ではハンドル先端部は先端側袋体でありこの先端に取付面を形成する。他方、払拭体としては有底筒状の空洞を穿ったブラシ体が利用され、ブラシ体の外周面にブラシ突片が多数形成されている。そして、ハンドル先端部をブラシ体の空洞に挿入し、取付面を空洞の底部に接合して、ハンドルと払拭体を一体化した空気注入型ハンドル清掃具が完成される。払拭体がブラシ体であり、ブラシ突片を軟毛や硬毛に種々変更できるから、浴槽用清掃具やトイレ用清掃具などとして利用できる。同様に、本発明ではハンドルが極めて軽量であり、このハンドルを用いたブラシ型の清掃具も一層に軽量化できるから、老人や子供でも取り扱いが容易な清掃具を提供することができる。
【００３１】
本発明の第８の形態によれば、前記接合の手段として、前記取付面と前記底部を面ファスナー又は接着剤で接合する空気注入型ハンドル清掃具が提供される。上述したスポンジ清掃具又はブラシ清掃具において、取付面と空洞の底部との接合には各種存在し、また取付面とは平面や環状面を含み、底部とは底平面だけでなく底を取り巻く環状内面を含むことは言うまでもない。接合方式には、接着剤による接着又は面ファスナーによる係着が利用できる。接着では接合力が強くてハンドルと払拭体とは簡単には分離できないが、面ファスナーよる係着では分離可能であり、且つ何回でも係着できる利点がある。
【００３２】
本発明の第９の形態によれば、外周に螺旋状溝を形成した中空巻付棒を配置し、前記螺旋状溝に帯電払拭糸を巻き付け、この中空巻付棒の根元に連結受部を形成して前記払拭体を構成し、他方、前記袋体または前記先端側袋体の先端に連結部を形成し、前記連結部と前記連結受部を相互に連結して帯電清掃具として使用する空気注入型ハンドル清掃具が提供される。
本形態の帯電清掃具とは帯電はたきを意味しており、帯電はたきには静電はたきとエレクトレットはたきの２種類が存在し、本形態は両者を対象としている。静電はたきとは、空気との摩擦や被清掃面との接触で静電気を帯びる樹脂片や樹脂糸をはたき状に取り付けたはたきで、一般に埃は帯電しているから、静電はたきで被清掃面を払拭すると静電気力で埃を吸着する。エレクトレットはたきとは、樹脂フィルムに電子ビームなどを照射して、樹脂フィルムに電気を固定化したものであり、静電気とは異なるが、電気力で被清掃面から埃を電気吸着する原理は静電はたきと同様である。両者ともに、帯電した又は帯電性のある樹脂製の払拭糸を使用する。この糸を帯電払拭糸と呼んでいる。
【００３３】
払拭体は、中空巻付棒の外周面に形成された螺旋状溝に帯電払拭糸を巻回して構成される。またハンドルは、前述したように、袋体からなる場合と、袋体に先端側袋体を直列した場合の二形態が存在する。払拭体である中空巻付棒の根元に連結受部を形成し、前記袋体または前記先端側袋体の先端に連結部を形成する。連結部を連結受部に連結することによって帯電清掃具を構成でき、連結構造は公知の連決手段を広く採用することができる。従って、ハンドルが袋体から構成されるから、極めて軽量の帯電清掃具を提供でき、老人や子供でも取り扱いが容易な帯電清掃具を提供することができる。
【００３４】
本発明の第１０の形態によれば、前記袋体及び前記先端側袋体は膨張自在なゴム材又は合成樹脂材で構成される空気注入型ハンドル清掃具を提供できる。
本形態の袋体は、膨張自在、即ち伸縮自在なゴム材や合成樹脂材から形成され、萎んだ状態では収縮しきった袋体であるが、空気を注入するに従って風船のように伸長して膨張する。本形態では、このように膨張自在なゴム材又は合成樹脂材で袋体が形成される。
【００３５】
本発明の第１１の形態によれば、前記袋体及び前記先端側袋体は延伸自在なゴム材又は合成樹脂材からなる延伸層と前記延伸層の延伸を規制する延伸規制層を積層したラミネート材から形成され、前記袋体は空気注入により略緊張状態になるまで膨張する空気注入型ハンドル清掃具を提供できる。
本形態では、延伸層と延伸規制層を積層したラミネート材により袋体が形成される。このラミネート材の特性は、空気が排気された状態では緊張状態が無くなって袋体は萎んだ状態になり、空気を注入すると袋体は次第に膨張し、袋体が一定の略緊張状態になると膨張が停止することである。延伸自在ゴムではいくらでも膨張を続けるのと対照的な特性である。例えば、海水浴の浮輪は排気状態では萎んでおり、空気を注入すると一定の緊張状態まで膨張すると、それ以上空気注入は不能になる。このような性質を本形態で主張している。略緊張状態とは、緊張状態に幅があることを意味し、所望の緊張状態を包含する。
【図面の簡単な説明】
【００３６】
【図１】図１は、本発明に係る空気注入型ハンドル清掃具１の第1実施形態として空気を注入して膨張したハンドルモップの分解断面図である。
【図２】図２は、袋体２１が萎んだ状態と膨張した状態を隣接したハンドルモップの分解断面図である。
【図３】図３は、先端側袋体３１が萎んだ状態と膨張した状態を隣接したハンドルモップの断面図である。
【図４】図４は、袋体２１と先端側袋体３１の両方が膨張した完成状態で手で把握した状態と手を挿入した状態を隣接したハンドルモップの手で保持した断面図である。
【図５】図５は、本発明に係る空気注入型ハンドル清掃具１の第２実施形態として空気を注入して膨張したスポンジ型清掃具の分解断面図である。
【図６】図６は、本発明に係る空気注入型ハンドル清掃具１の第３実施形態として空気を注入して膨張したブラシ型清掃具の分解断面図である。
【図７】図７は、本発明に係る空気注入型ハンドル清掃具１の第４実施形態として空気を注入して膨張した帯電清掃具７８の分解断面図である。
【図８】図８は、本発明に係る空気注入型ハンドル清掃具１の第４実施形態として組み立て完成した帯電清掃具７８の断面図である。
【図９】図９は、特許第３０７７４８８号公報（特許文献１）に記載される軽量モップハンドルの斜視図である。
【図１０】図１０は、特開平１０−２９０７６９号公報（特許文献２）に記載される形状変更可能なモップの平面図と断面図である。
【発明を実施するための形態】
【００３７】
以下に、本発明に係る空気注入型ハンドル清掃具１を図面に従って詳細に説明する。図中、同一部分には同一符号が付されており、特に説明しない限りある図面で符号を一度説明した場合には、他の図面で同一符号の説明は省略される。
図１は、本発明に係る空気注入型ハンドル清掃具１の第1実施形態として空気を注入して膨張したハンドルモップの分解断面図である。
ハンドルモップとして使用される空気注入型ハンドル清掃具１は、ハンドル２０と払拭体１０に分けられ、払拭体１０は全体を包む払拭片１１が植成され、払拭片１１の内部に中空状の袋部１２が形成されている。袋部１２の入口内部には袋部中角部１３が環状に形成されている。
【００３８】
ハンドル２０は膨張可能な気密性のある袋体２１から形成されており、空気バルブ２２を介してポンプで内部に空気を注入すると、前記袋体２１は萎んだ状態から図示するような略緊張状態にまで膨張する。ハンドル２０のハンドル後端部２４では、二重管部２５が環状に形成されており、二重管部２５の内部は開放中空部２６が形成されている。開放中空部２６の底部には拡径空間部２７が形成されており、手かがり溝２８は手を開放中空部２６に挿入したときに指を引っ掛けて手操作を容易にするものである。拡径空間部２７は拡径空間周壁２７ａにより包囲されている。
【００３９】
また、袋体２１の先端には、隔壁２９を介して先端側袋体３１が連設されており、また前記袋体２１と独立して、先端側空気バルブ３２を使用して、先端側袋体３１だけを膨張させたり萎ませたりすることができる。しかも先端側中空部３３が形成され、先端側外角部３４が段差状に形成されている。
図１では、袋体２１と先端側袋体３１の両者に空気が注入されて略緊張状態まで膨張しており、払拭体１０を支持できるようにハンドル２０として完成されている。この先端側袋体３１を払拭体１０の袋部１２に内装すると、先端側外角部３４が袋部中角部１３に係合して、払拭体１０はハンドル２０に強力に連結され、ハンドルモップとして完成される。
拡径空間周壁２７ａと隔壁２９とは非伸縮性シートや非伸縮性糸などからなる連結片３０により相互に連結されている。袋体２１を空気膨張させるときに、拡径空間部２７が内圧により上方へと膨出することを連結片３０の引力で阻止し、袋体２１の中で拡径空間部２７の形態を安定して保持している。勿論、拡径空間周壁２７ａを近接する袋体２１の周壁と部分的に複数個所で融着や接着などで接合させても上記形態を保持でき、更に、二重管２５の外壁と内壁を部分的に複数個所で融着や接着などで接合させれば、強度的に高く開放中空部２６の形態を保持することもできる。その他の公知の形態保持手段を利用することもできる。
【００４０】
袋体２１と先端側袋体３１の素材として、伸縮性のあるゴムや合成樹脂を使用すると、風船のように空気を注入すればするほど内圧が高くなりながら膨張することができる。しかし、一定サイズまで膨張すると、ハンドル２０は所定形状を保持できるようになるから、その段階で膨張を停止すればよい。
また、前記素材を、延伸自在なゴム材又は合成樹脂材からなる延伸層と前記延伸層の延伸を規制する延伸規制層を積層したラミネート材から形成すれば、袋体や先端側袋体は空気注入により略緊張状態になるまで膨張してその膨張は自動的に停止し、この停止状態でハンドルとして完成状態に達したと判断することができる。
【００４１】
図２は、袋体が萎んだ状態と膨張した状態を隣接させてハンドルモップの分解断面図である。
（２Ａ）は袋体２１と先端側袋体３１の両者が萎んだ状態であり、ハンドル２０を狭い場所に保管したり、狭い車で運送したり、大量に洗浄するときに使用する状態である。他方、（２Ｂ）は袋体２１を膨張させて先端側袋体３１を萎ませた状態であり、払拭体１０を先端側袋体３１に装着する場合の状態図である。
つまり、（２Ａ）の保管状態から始めると、まず（２Ｂ）のように袋体２１だけに空気注入して膨張させ、先端側袋体３１は萎んだままにしておく。
【００４２】
図３は、先端側袋体３１が萎んだ状態と膨張した状態を隣接させたハンドルモップの断面図である。
（２Ｂ）の状態から、萎んだ先端側袋体３１を払拭体１０の袋部１２に内装すると、（３Ａ）の状態に移行する。この（３Ａ）の状態で先端側空気バルブ３２を介してポンプにより空気を先端側中空部３３に充填すると、（３Ｂ）の状態が出現する。先端側袋体３１を一程度まで膨張すれば、先端側袋体３１は袋部１２の中で充満状態になる。この（３Ｂ）の状態がハンドルモップとしての完成状態である。このとき、先端側外角部３４が袋部中角部１３に係合し、ハンドル２０は払拭体１０から簡単には脱離できなくなる。
【００４３】
図４は、袋体２１と先端側袋体３１の両方が膨張した完成状態で手３で把握した状態と手３を挿入した状態を隣接させたハンドルモップの手３で保持した断面図である。
本図には、空気注入型ハンドル清掃具１の第１実施形態であるハンドルモップの清掃使用方法が示されている。（４Ａ）は、腕２を伸ばし手３の指４で二重管部２５を外側から把握した状態図を示す。手３でハンドル２０を握って腕２を振ると払拭体１０で被清掃面を掃除することができる。（４Ｂ）は、腕２と手３を開放中空部２６に挿通して指４で手かがり溝２８に引っ掛けると、確実にハンドル２０を操作することができる。このとき、指４で手かがり溝２８を引っ掛けることが操作の容易性を上昇させる。
従って、このハンドルモップを用いれば、ハンドル２０を手３で把握した状態と手３を挿入した状態の両者を巧みに使い分けることによって、極めて軽量にハンドル２０を自由自在に操ることが可能になる。これも全て本発明のハンドル２０自体が極めて軽量であるから行えることである。
【００４４】
図５は、本発明に係る空気注入型ハンドル清掃具１の第２実施形態として空気を注入して膨張したスポンジ型清掃具の分解断面図である。
（５Ａ）は、スポンジ型清掃具である空気注入型ハンドル清掃具１をハンドル２０と払拭体１０に分離した分解断面図である。ハンドル２０のハンドル先端部ＳＴには、環状の取付角部４７を介して取付部４５が形成されており、取付部４５の先端には取付面４６が設けられ、この取付面４６には面ファスナー４８が取着されている。
また、払拭体１０はスポンジ体５０からなり、その中心軸には開口５１を開けて空洞５２が形成され、空洞５２の奥底部には環状突起５３を介して拡径空間部５７が設けられている。環状突起５３には拡径空間部５７の方に環状突起段面５４が存在し、拡径空間部５７の底部５５には面ファスナー５６が取着されている。
【００４５】
（５Ｂ）はハンドル２０と払拭体１０を連結して一体化したスポンジ型清掃具の断面図である。
（５Ａ）において、ハンドル先端部ＳＴを空洞５２の中に挿入し、取付部４５を拡径空間部５７の中に内装されるまで装着すると、（５Ｂ）のように面ファスナー４８と面ファスナー５６が相互に係着して、ハンドル２０と払拭体１０とは一体化される。また、取付角部４７は環状突起段面５４と当接し、取付部４５は拡径空間部５７から脱離することができなくなる。このようにして、ハンドル２０と払拭体１０、即ちスポンジ体５０とは確実に一体化される。
更に、（５Ｂ）のように、腕２を二重管部２５の中の開放中空部２６に挿入すると、指４で手かがり溝２８を引っ掛けることができ、腕２及び手３でハンドル２０を簡単に操作することができる。特に、本形態はスポンジ型清掃具であり、浴槽用又はトイレ用の清掃具として、極めて軽量であるから、簡単操作が可能になる利点がある。
【００４６】
図６は、本発明に係る空気注入型ハンドル清掃具１の第３実施形態として空気を注入して膨張したブラシ型清掃具の分解断面図である。
（６Ａ）は、ブラシ型清掃具である空気注入型ハンドル清掃具１を、ハンドル２０と払拭体１０（又はブラシ体６０）に分離した分解断面図である。ハンドル２０のハンドル先端部ＳＴには、環状の取付角部４７を介して取付部４５が形成されており、取付部４５の先端には取付面４６が設けられ、この取付面４６には接着剤層４９が形成されている。
また、払拭体１０はブラシ体６０からなり、その外周面には多数のブラシ突片６８が植成されている。また、その中心軸には開口６１を開けて空洞６２が形成され、空洞６２の奥底部には環状突起６３を介して拡径空間部６７が設けられている。環状突起６３には拡径空間部６７の方に環状突起段面６４が存在し、拡径空間部６７の底部６５に前記接着剤層４９が当接する。
【００４７】
（６Ｂ）はハンドル２０と払拭体１０（又はブラシ体６０）を連結して一体化したブラシ型清掃具の断面図である。
（６Ａ）において、ハンドル先端部ＳＴを空洞６２の中に挿入し、取付部４５を拡径空間部６７の中に内装されるまで装着すると、（６Ｂ）のように接着剤層４９が底部６５に接着して、ハンドル２０と払拭体１０とは一体化される。また、取付角部４７は環状突起段面６４と当接し、取付部４５は拡径空間部６７から脱離することができなくなる。このようにして、ハンドル２０と払拭体１０、即ちブラシ体６０とは確実に一体化される。
更に、（６Ｂ）のように、腕２、手３及び指４で二重管部２５を外側から把握して、ハンドル２０を簡単に操作することができる。特に、本形態はブラシ型清掃具であり、極めて軽量であるから、浴槽用又はトイレ用の清掃具として簡単操作が可能になる利点がある。
【００４８】
図７は、本発明に係る空気注入型ハンドル清掃具１の第４実施形態として空気を注入して膨張した帯電清掃具７８の分解断面図である。
ハンドル２０の先端には隔壁２９を介して先端側袋体３１が設けられ、先端側空気バルブ３２と先端側中空部３３が設けられている。先端側袋体３１の先端部には連結部８５が形成され、その後側面は連結角部８７になっている。
【００４９】
中空巻付棒７０の内部には中空部７２が形成され、その外周面には螺旋状溝７１が巻回状に刻設されている。中空巻付棒７０の始端側には環状凸部からなる連結受部７３が形成され、その始端側内面には連結受面７４が形成されている。帯電払拭糸７６は、エレクトレット加工された樹脂フィルムを細く長く連続して解繊した樹脂フィルム片である。エレクトレット加工されているため、帯電払拭糸７６には無数の固定電荷が埋設されている。
この帯電払拭糸７６を始端から終端まで前述した螺旋状溝７１に沿って巻回して帯電払拭体７７が形成される。この帯電払拭体７７としては、エレクトレット加工せずに静電気を帯電させて静電帯電方式を採用してもよい。
【００５０】
図８は、本発明に係る空気注入型ハンドル清掃具１の第４実施形態として組み立て完成した帯電清掃具７８の断面図である。
図７において、先端側空気バルブ３２から排気して先端側袋体３１を萎ませ、萎んだ状態で連結部８５を連結受部７３に内装し、再び先端側空気バルブ３２から空気を先端側袋体３１に注入すると、図８の状態が完成される。連結部８５は連結受部７３に内装されており、連結角部８７が連結受面７４に当接することによって、。連結部８５は連結受部７３から分離が遮断される。従って、図８の状態では、帯電清掃具７８が完成されている。
腕２と手３で二重管部２５の外周面を把握し、この状態で帯電清掃具７８を左右に振りながら被清掃面を払拭すると、被清掃面から帯電した埃が帯電払拭体７７に電気吸着される。
【００５１】
本発明は、上記実施形態や変形例に限定されるものではなく、本発明の技術的思想を逸脱しない範囲における種々変形例、設計変更などをその技術的範囲内に包含するものであることは云うまでもない。
【産業上の利用可能性】
【００５２】
本発明に係る空気注入型ハンドル清掃具では、ハンドルを中空長手状の袋体により形成し、該袋体に空気を注入して略緊張状態まで膨張させて清掃具のハンドルとして利用するから、ハンドル自体を軽量化して清掃具全体の軽量化に成功したものである。従って、モップに限らず、先端にブラシやスポンジを取り付けたトイレや浴槽の掃除具のハンドルとして、また静電気やエレクトレットを利用した帯電はたきのハンドルとして利用できる等、広範囲の払拭体を支えるハンドルとして活用できる空気注入型ハンドル清掃具を提供するものである。本発明に係る空気注入型ハンドル清掃具は、例えば、清掃用品小売業界、家庭用清掃用品レンタル業界など多くの業界に利用できるものである。
【符号の説明】
【００５３】
１        空気注入型ハンドル清掃具
２        腕
３        手
４        指
１０      払拭体
１１      払拭片
１２      袋部
１３      袋部中角部
２０      ハンドル
２１      袋体
２２      空気バルブ
２３      中空部
２４      ハンドル後端部
２５      二重管部
２６      開放中空部
２７      拡径空間部
２７ａ    拡径空間周壁
２８      手かがり溝
２９      隔壁
３０      連結片
３１      先端側袋体
３２      先端側空気バルブ
３３      先端側中空部
３４      先端側外角部
４５      取付部
４６      取付面
４７      取付角部
４８      面ファスナー
４９      接着剤層
ＳＴ      ハンドル先端部
５０      スポンジ体
５１      開口
５２      空洞
５３      環状突起
５４      環状突起段面
５５      底部
５６      面ファスナー
５７      拡径空間部
６０      ブラシ体
６１      開口
６２      空洞
６３      環状突起
６４      環状突起段面
６５      底部
６７      拡径空間部
６８      ブラシ突片
７０      中空巻付棒
７１      螺旋状溝
７２      中空部
７３      連結受部
７４      連結受面
７６      帯電払拭糸
７７      帯電払拭体
７８      帯電清掃具
８５      連結部
８７      連結角部
１０１    モップハンドル
１０２    払拭材
１０３    フレーム
１０４    ポール
１１０    周枠
１１１    枠片
１１１ｂ  凹部
１１２    枠片
１１３    帯状板
１２５    コーティング
１３０    ジョイント部材
１３１    ブラケット
１３２    ポール回転軸
１３３    連結金具
１３４    ポール回転軸
１３５    連結金具
１４１    グリップ
２０１Ｆ  モップ
２０４Ｆ  モップヘッド
２０５    柄
２３０    基板
２３１    ポンプ手段
２３２    通孔
２３３    止着手段
【図１】
0006754620.tif 000002
【図２】
0006754620.tif 000003
【図３】
0006754620.tif 000004
【図４】
0006754620.tif 000005
【図５】
0006754620.tif 000006
【図６】
0006754620.tif 000007
【図７】
0006754620.tif 000008
【図８】
0006754620.tif 000009
【図９】
0006754620.tif 000010
【図１０】
0006754620.tif 000011